(57)【要約】【課題】複数（三つ以上）のプーリ間にベルトを巻き掛ける際に、ベルトの張力によりベルト取付治具及びプーリが空転、または逆回転することを防止し、ベルトの巻き掛け作業をスムーズに行うことができるベルト取付治具を提供する。【解決手段】ベルト取付治具９の側面部１０上に、第１ベルト保持部１４、及び、第２ベルト保持部１５を設け、第１ベルト保持部１４を、側面部１０の外周沿いに配置し、第２ベルト保持部１５を、第２プーリ２の外周から第１ベルト保持部１４に巻き掛けられるＶリブドベルト４を延長させた第１延長線Ｌ１と、第１プーリ１の外周から第２ベルト保持部１５に巻き掛けられるＶリブドベルト４を延長させた第２延長線Ｌ２との交点Ｆが、第１プーリ１の中心１Ｓと第３プーリ３の中心３Ｓとを結んだ中心線Ｌ３よりも、第３プーリ３の回転方向Ａの前方側に位置するように配置する。【選択図】図２
2016070492.tif 000002
【特許請求の範囲】
【請求項１】
第１プーリと第２プーリに巻き掛けた周長方向に伸縮可能なベルトを、更に、第３プーリに対して、当該第３プーリの回転を利用して、巻き掛けるために使用するベルト取付治具であって、
前記第３プーリの一方の側面側に設置される側面部と、
前記第３プーリの外周部に沿って設置される取付部と、
前記側面部の外周沿いに設けられた第１ベルト保持部と、
前記側面部上に設けられた第２ベルト保持部と
を備えており、
前記第２ベルト保持部は、
前記ベルトが、前記第１プーリ、前記第２プーリ、前記第１ベルト保持部、及び、前記第２ベルト保持部に巻き掛けられた際に、
前記第２プーリの外周から前記第１ベルト保持部に巻き掛けられる前記ベルトを延長させた第１延長線と、前記第１プーリの外周から前記第２ベルト保持部に巻き掛けられる前記ベルトを延長させた第２延長線との交点が、前記第１プーリの中心と前記第３プーリの中心とを結んだ中心線よりも、前記第３プーリの回転方向前方側に位置するように配置される第１配置条件を満たすように前記側面部上に設けられているベルト取付治具。
【請求項２】
前記第２ベルト保持部は、
前記ベルトが、前記第１プーリ、前記第２プーリ、前記第１ベルト保持部、及び、前記第２ベルト保持部に巻き掛けられた際に、
前記第２プーリの中心と前記第３プーリの中心とを結んだ中心線よりも、前記第３プーリの回転方向前方側に配置される第２配置条件を、更に満たすように前記側面部上に設けられている、請求項１に記載のベルト取付治具。
【請求項３】
前記側面部は、
前記第３プーリの一方の側面の少なくとも一部に接触させる設置部と、
前記第３プーリの前記一方の側面に接触せず、前記一方の側面の少なくとも一部を覆う保護部と、
を備え、
前記保護部が、前記第３プーリの前記一方の側面における前記設置部が接触する部位より内側の領域において、前記一方の側面における前記設置部が接触する部位によって定義される平面からの垂直方向の距離が最も大きい部位の少なくとも一部を覆う、請求項１又は２に記載のベルト取付治具。
【請求項４】
前記設置部と前記保護部とは、段差状に連結されている、請求項３に記載のベルト取付治具。
【請求項５】
前記第１ベルト保持部の一部は、前記側面部の外周よりも外側に突出している、請求項１又は２に記載のベルト取付治具。
【請求項６】
前記第１ベルト保持部は、前記ベルトが巻き掛かる部分が、略円弧形状である、請求項１又は２に記載のベルト取付治具。
【請求項７】
前記第１ベルト保持部は、前記ベルトが巻き掛かる部分が、略インボリュート曲線形状であり、前記第１ベルト保持部と前記第２ベルト保持部とは、直線上に配置された、請求項１又は２に記載のベルト取付治具。
【請求項８】
前記第１ベルト保持部と前記第２ベルト保持部とは一体形成されている、請求項１又は２に記載のベルト取付治具。
【請求項９】
前記一体形成された前記第１ベルト保持部及び前記第２ベルト保持部は、前記ベルトが巻き掛かる部分が、円弧形状である、請求項８に記載のベルト取付治具。
【発明の詳細な説明】
【技術分野】
【０００１】
本発明は、複数（三つ以上）のプーリ間にベルトを巻き掛ける際に使用するベルト取付治具に関する。
【背景技術】
【０００２】
一般に、複数のプーリ間にベルトを巻き掛けてなるベルト伝動機構では、プーリ間で確実に動力を伝達させるために装着対象であるプーリ間のレイアウト周長よりもベルト周長を短くしてベルトに強い張力がかかるような仕様になっている。
【０００３】
上記のようなベルト伝動機構において、プーリの軸心位置を調整可能なテンションプーリ等がない場合、互いの軸間距離が全て固定された状態の複数のプーリ間に、複数のプーリ間のレイアウト周長よりも短い周長のベルトを取り付ける際には、1つのプーリを最後に残して他のプーリにベルトを先に巻き掛け、他のプーリに巻き掛けたベルトに張力を付与して、残した最後のプーリを回転させながら、プーリの外周面にベルトを取り付けるベルト取付治具が用いられている。
【０００４】
例えば、特許文献１には、３つのプーリ間にベルトを巻き掛ける際に使用するベルト取付治具が開示されている。この３つのプーリＰ１・Ｐ２・Ｐ３のレイアウト（特許文献１の図２等参照）では、最も大径でベルトの巻き付きが長いプーリＰ１にベルト取付治具を装着し、プーリＰ１以外の他のプーリＰ２・Ｐ３に巻き掛けたベルトＶに張力を付与して、プーリＰ１を回転させることでベルト取付治具を利用して３つのプーリ間にベルトを取り付ける。このように、ベルト取付治具を用いて複数のプーリ間にベルトを取り付ける場合、「巻き掛かかるベルト部分が長いプーリに対して、最後にベルトを巻き掛けた方が取り付けやすい（巻き掛け作業をし易い）」といった理由から、最も大径で巻き掛かるベルト部分が長いプーリＰ１を、ベルト取付治具を装着するプーリに選定する傾向がある。
【０００５】
しかしながら、「最も大径で巻き掛かるベルト部分が長いプーリに対して、最後にベルトを巻き掛けると、ミスアライメントが大きくなるため、最も大径で巻き掛かるベルト部分が長いプーリに対して、最初にベルトを巻き掛けた方が良い場合がある」、「最も大径で巻き掛かるベルト部分が長いプーリの近辺に障害となる部品があり、物理的に取り付け作業が困難な場合がある」といった理由により、最も大径で巻き掛かるベルト部分が長いプーリを、ベルト取付治具を装着するプーリに選定することができない場合がある。
【０００６】
このような場合、最も大径のプーリ（以下、大径プーリ）以外のプーリ（大径プーリよりも小径のプーリ：以下、小径プーリ）を、ベルト取付治具を装着するプーリに選定する必要がある。
【先行技術文献】
【特許文献】
【０００７】
【特許文献１】特開２０１４−２９１９１公報
【発明の概要】
【発明が解決しようとする課題】
【０００８】
このような小径プーリにベルト取付治具を装着して、最後にベルトを巻き掛ける場合、小径プーリに巻き掛かかるベルト部分が、大径プーリに比べて短くなるため、最後に小径プーリにベルトを巻き掛ける際のベルト張力が強くなり、ベルト取付治具及び小径プーリが空転、または逆回転するなどして、ベルトの巻き掛け作業が、大径プーリにベルト取付治具を装着して、最後にベルトを巻き掛ける場合に比べて困難になる場合がある。
【０００９】
そこで、本発明は、上記のような課題を解決するためになされたものであり、複数（三つ以上）のプーリ間にベルトを巻き掛ける際に、ベルトの張力によりベルト取付治具及びプーリが空転、または逆回転することを防止し、ベルトの巻き掛け作業をスムーズに行うことができるベルト取付治具を提供する。
【課題を解決するための手段】
【００１０】
上記課題を解決するための発明のベルト取付治具は、第１プーリと第２プーリに巻き掛けた周長方向に伸縮可能なベルトを、更に、第３プーリに対して、当該第３プーリの回転を利用して、巻き掛けるために使用するベルト取付治具であって、
前記第３プーリの一方の側面側に設置される側面部と、
前記第３プーリの外周部に沿って設置される取付部と、
前記側面部の外周沿いに設けられた第１ベルト保持部と、
前記側面部上に設けられた第２ベルト保持部と
を備えており、
前記第２ベルト保持部は、
前記ベルトが、前記第１プーリ、前記第２プーリ、前記第１ベルト保持部、及び、前記第２ベルト保持部に巻き掛けられた際に、
前記第２プーリの外周から前記第１ベルト保持部に巻き掛けられる前記ベルトを延長させた第１延長線と、前記第１プーリの外周から前記第２ベルト保持部に巻き掛けられる前記ベルトを延長させた第２延長線との交点が、前記第１プーリの中心と前記第３プーリの中心とを結んだ中心線よりも、前記第３プーリの回転方向前方側に位置するように配置される第１配置条件を満たすように前記側面部上に設けられている。
【００１１】
上記構成によれば、ベルト取付治具の側面部を第３プーリの一方の側面に設置し、取付部を第３プーリの外周部に沿って配置することにより、ベルト取付治具を第３プーリに安定して設置することができる。
また、本ベルト取付治具では、側面部上に、第１ベルト保持部、及び、第２ベルト保持部を設け、第１ベルト保持部を側面部の外周沿いに配置し、第２ベルト保持部を、ベルトが、第１プーリ、第２プーリ、第１ベルト保持部、及び、第２ベルト保持部に巻き掛けられた状態のときに、第２プーリの外周から第１ベルト保持部に巻き掛けられるベルトを延長させた第１延長線と、第１プーリの外周から第２ベルト保持部に巻き掛けられるベルトを延長させた第２延長線との交点が、第１プーリの中心と第３プーリの中心とを結んだ中心線よりも、第３プーリの回転方向前方側に位置するように配置している（第１配置条件）。
仮に、第２ベルト保持部を、第１延長線と第２延長線との交点が、第１プーリの中心と第３プーリの中心とを結んだ中心線よりも、第３プーリの回転方向後方側に位置するように配置した場合には、第３プーリが逆回転したり（ベルトに第２プーリ方向への張力が掛かる）、ベルト取付治具自体が第３プーリ上を滑って空転してしまい、ベルトを第３プーリの外周に巻き掛けることができない場合がある。しかし、第２ベルト保持部を、第１延長線と第２延長線との交点が、第１プーリの中心と第３プーリの中心とを結んだ中心線よりも、第３プーリの回転方向前方側に位置するように配置することにより、第３プーリを順回転する方向にベルトに張力が掛かり（ベルトに第１プーリ方向への張力が掛かる）、第３プーリが逆回転するのを防止することができる。
【００１２】
また、本発明の一態様として、上記ベルト取付治具に関して、前記第２ベルト保持部は、
前記ベルトが、前記第１プーリ、前記第２プーリ、前記第１ベルト保持部、及び、前記第２ベルト保持部に巻き掛けられた際に、
前記第２プーリの中心と前記第３プーリの中心とを結んだ中心線よりも、前記第３プーリの回転方向前方側に配置される第２配置条件を、更に満たすように前記側面部上に設けられていることが好ましい。
【００１３】
上記構成によれば、第２ベルト保持部を、第２プーリの中心と第３プーリの中心とを結んだ中心線よりも、第３プーリの回転方向前方側に配置することにより（第２配置条件）、第２ベルト保持部が、第２プーリの中心と第３プーリの中心とを結んだ中心線よりも、第３プーリの回転方向後方側にある場合に比べて、ベルトを、第１プーリ、第２プーリ、第１ベルト保持部、及び、第２ベルト保持部に巻き掛けた際のベルト全体に掛かる張力を小さくすることができる。これにより、ベルトを第３プーリの外周へ巻き掛ける際の第３プーリの回転方向（第１プーリ方向）への回転をし易くすることができる。
【００１４】
また、本発明の一態様として、上記ベルト取付治具に関して、前記側面部は、
前記第３プーリの一方の側面の少なくとも一部に接触させる設置部と、
前記第３プーリの前記一方の側面に接触せず、前記一方の側面の少なくとも一部を覆う保護部と、
を備え、
前記保護部が、前記第３プーリの前記一方の側面における前記設置部が接触する部位より内側の領域において、前記一方の側面における前記設置部が接触する部位によって定義される平面からの垂直方向の距離が最も大きい部位の少なくとも一部を覆うことが好ましい。
【００１５】
上記構成によれば、保護部が、第３プーリの一方の側面における設置部が接触する部位より内側の領域において、第３プーリの一方の側面における設置部が接触する部位によって定義される平面からの垂直方向の距離が最も大きい部位（第３プーリの一方の側面における設置部が接触する部位によって定義される平面からの距離が０の場合を含む）の少なくとも一部を覆うことにより、第３プーリへのベルトの巻き掛け時に、第３プーリの一方の側面における設置部が接触する部位によって定義される平面からの垂直方向の距離が最も大きい部位とベルトが干渉することを防止し、第３のプーリの一方の側面における設置部が接触する部位によって定義される平面からの垂直方向の距離が最も大きい部位及びベルトを保護することができる。
【００１６】
また、本発明の一態様として、上記ベルト取付治具に関して、前記設置部と前記保護部とは、段差状に連結されていることが好ましい。
【００１７】
上記構成によれば、保護部と設置部との間を段差状に連結して、第３プーリの一方の側面における設置部が接触する部位によって定義される平面からの垂直方向の距離が最も大きい部位と保護部との間に段差による間隙ができるようにしたため、保護部が、第３プーリの一方の側面における設置部が接触する部位によって定義される平面からの垂直方向の距離が最も大きい部位に接触せずに確実に覆うことができる。
【００１８】
また、本発明の一態様として、上記ベルト取付治具に関して、前記第１ベルト保持部の一部は、前記側面部の外周よりも外側に突出していてもよい。
【００１９】
上記構成によれば、第１ベルト保持部の一部は、側面部の外周よりも外側に突出しているため、ベルトを第１ベルト保持部に巻き掛けた際に、側面部の外周（第３プーリの外周）よりも浮かせることができる。このため、ベルトを第１ベルト保持部から第３プーリの外周に巻き掛け易くなり、ベルトを第３プーリの外周にスムーズに移行することができる。
【００２０】
また、本発明の一態様として、上記ベルト取付治具に関して、前記第１ベルト保持部は、前記ベルトが巻き掛かる部分が、略円弧形状であってもよい。
【００２１】
上記構成によれば、第１ベルト保持部のベルトが巻き掛かる部分を略円弧形状にしているため、ベルトを第１ベルト保持部に巻き掛けた際のベルトへの負担を軽減することができる。
【００２２】
また、本発明の一態様として、上記ベルト取付治具に関して、前記第１ベルト保持部は、前記ベルトが巻き掛かる部分が、略インボリュート曲線形状であってもよく、前記第１ベルト保持部と前記第２ベルト保持部とは、直線上に配置されていてもよい。
【００２３】
上記構成によれば、第１ベルト保持部のベルトが巻き掛かる部分を略インボリュート曲線形状にすることにより、第１ベルト保持部にベルトを巻き掛ける際に、ベルトに過度な張力をかけずに効率良く巻き掛けることができる。また、第１ベルト保持部と第２ベルト保持部とを直線上に配置しているため、ベルトを第１ベルト保持部と第２ベルト保持部とに巻き掛けた際のベルト長さを最短にすることができ、ベルトを伸張させる力を最小にすることができる。そのため、ベルト取付治具を使用して、ベルトを第３プーリに巻き掛ける作業負荷を低減させることができる。
【００２４】
また、本発明の一態様として、上記ベルト取付治具に関して、前記第１ベルト保持部と前記第２ベルト保持部とは一体形成されていることが好ましい。
【００２５】
上記構成によれば、第１ベルト保持部と第２ベルト保持部とは一体形成されているため、第１ベルト保持部と第２ベルト保持部とが別個に形成されている場合に比べて、強度を高めることができる。
【００２６】
また、本発明の一態様として、上記ベルト取付治具に関して、前記一体形成された前記第１ベルト保持部及び前記第２ベルト保持部は、前記ベルトが巻き掛かる部分が、略円弧形状であることが好ましい。
【００２７】
上記構成によれば、一体形成された第１ベルト保持部及び第２ベルト保持部のベルトが巻き掛かる部分を略円弧形状にしているため、ベルトを巻き掛けた際のベルトへの負担を軽減することができる。
【発明の効果】
【００２８】
複数のプーリ間にベルトを巻き掛ける際に、ベルトの張力によりベルト取付治具及びプーリが空転、または逆回転することを防止し、ベルトの巻き掛け作業をスムーズに行うことができるベルト取付治具を提供することができる。
【図面の簡単な説明】
【００２９】
【図１】本実施形態に係るベルト取付治具の斜視図である。
【図２】本実施形態に係るベルト取付治具の六面図である。
【図３】本実施形態に係る第１プーリ、第２プーリ、及び、第３プーリのレイアウトである。
【図４】本実施形態に係る第３プーリの説明図である。
【図５Ａ】本実施形態に係る第１ベルト保持部及び第２ベルト保持部の第１配置条件、及び、第２配置条件を説明する説明図である。
【図５Ｂ】第１ベルト保持部及び第２ベルト保持部の第１配置条件を満たす領域と、第１ベルト保持部及び第２ベルト保持部の第１配置条件及び第２配置条件を満たす領域の説明図である。
【図６】本実施形態に係る第１ベルト保持部及び第２ベルト保持部とＶリブドベルトの張力との関係を説明した図である。
【図７】本実施形態に係るベルト取付治具を第３プーリに取り付けた際の断面図である。
【図８】本実施形態に係るベルト取付治具の使用方法の第一説明図である。
【図９】本実施形態に係るベルト取付治具の使用方法の第二説明図である。
【図１０】その他の実施形態に係るベルト取付治具の六面図である。
【図１１】その他の実施形態に係るベルト取付治具の六面図である。
【図１２】その他の実施形態に係るベルト取付治具の六面図である。
【図１３】その他の実施形態に係るベルト取付治具の使用方法の説明図である。
【図１４】その他の実施形態に係るベルト取付治具の六面図である。
【発明を実施するための形態】
【００３０】
（実施形態）
以下、図面を参照しつつ、本願発明の実施形態を説明する。本実施形態に係るベルト取付治具９（図１参照）は、図３に示すような第１プーリ１と、第２プーリ２と、第３プーリ３との間に、周長方向に伸縮可能なベルト（Ｖリブドベルト４）を巻き掛ける際に使用する。
【００３１】
自動車のエンジンレイアウトでは、図３に示されるように、エンジン等のクランク軸に連結される第１プーリ１と、ウォーターポンプを駆動させる第２プーリ２と、エアコン等のコンプレッサーのシャフトに連結される第３プーリとが、所定の軸間距離を隔てて回転自在に支持されている。そして、第１プーリ１と第２プーリ２と第３プーリ３との間には、Ｖリブドベルト４が巻き掛けされ、エンジン等のクランク軸の動力が、第１プーリ１及び第２プーリ２を介してウォーターポンプのシャフトに伝動され、ウォーターポンプを駆動させている。また、エンジン等のクランク軸の動力が、第１プーリ１、第２プーリ２、第３プーリ３を介してコンプレッサーのシャフトに伝動され、コンプレッサーを回転させている。なお、本実施形態では、第１プーリ１、第２プーリ２、及び、第３プーリ３のそれぞれの軸間距離は固定（変更不能）されている。また、Ｖリブドベルト４に対して張力を付与する所謂オートテンショナ（張力付与手段）は搭載していない。
【００３２】
（第１プーリ１、第２プーリ２、及び、第３プーリ３の構造）
第１プーリ１は、Ｖリブドベルト４の内周面に形成されるリブ４ａと嵌合可能なプーリ溝（第１プーリ１の外周部に設けられた溝）を有している。また、第１プーリ１の中心部に形成されたボス部１ｃには、エンジン等のクランク軸が挿入されている。
【００３３】
第２プーリ２は、第１プーリ１同様に、Ｖリブドベルト４の内周面に形成されるリブ４ａと嵌合可能なプーリ溝（第２プーリ２の外周部に設けられた溝）を有している。また、第２プーリ２の中心部に形成されたボス部２ｃには、ウォーターポンプに連動するシャフトが挿入されている。
【００３４】
一方、第３プーリ３は、図４（ａ）〜（ｃ）に示すように、コンプレッサープーリ３ａと、コンプレッサープーリ３ａの一方の側面に配置されたクラッチハブ３ｂと、コンプレッサープーリ３ａの他方の側面に配置されたステーター３ｃを有している。コンプレッサープーリ３ａ及びステーター３ｃは、コンプレッサーのシャフトに回転自在に嵌め込まれており、クラッチハブ３ｂは、コンプレッサーのシャフトに固定されている。なお、図４（ｃ）に示すように、第３プーリ３のクラッチハブ３ｂは、コンプレッサープーリ３ａの側面３ｇから突出して配置されている。
【００３５】
そして、第３プーリ３は、コンプレッサーを駆動させないときはコンプレッサープーリ３ａだけ回転するが、例えば、エアコンのスイッチが入れられると、ステーター３ｃに埋め込めているコイルに電流が流れ、これが強力な磁石となってクラッチハブ３ｂを強く吸着して、クラッチハブ３ｂがコンプレッサープーリ３ａに圧着することにより、クラッチハブ３ｂ、コンプレッサープーリ３ａ及びステーター３ｃが一体化し、コンプレッサープーリ３ａの回転が、一体化されたクラッチハブ３ｂからコンプレッサーのシャフトに伝動され、コンプレッサーが回転する仕組みになっている。
【００３６】
また、第３プーリ３のコンプレッサープーリ３ａは、図４に示すように、Ｖリブドベルト４の内周面に形成されたリブ４ａと嵌合可能なプーリ溝３ｄ（第３プーリ３の外周部３ｊに設けられた溝）を有し、このプーリ溝３ｄをプーリ軸方向で挟む一対のプーリフランジ３ｅ・３ｆを備えている。このプーリフランジ３ｅ・３ｆは、図４（ｃ）の側面視で、上記プーリ溝３ｄより第３プーリ３の径外方向へ若干、突出して形成されている。また、第３プーリ３のボス部５には、コンプレッサーのシャフトが挿入され、クラッチハブ３ｂに固定される。符号３ｇ・３ｈは、第３プーリ３の側面を示す。
【００３７】
本実施形態では、図３に示すように、３つのプーリ（第１プーリ１、第２プーリ２、第３プーリ３）の中で、第１プーリ１が最もその直径が大きいプーリであり、第３プーリ３が２番目にその直径が大きいプーリであり、第２プーリ２が最もその直径が小さいプーリである。
【００３８】
（Ｖリブドベルト４）
Ｖリブドベルト４は、その周長方向において若干伸縮可能な所謂低モジュラスベルトである。低モジュラスベルトは、心線にポリアミド繊維を用いることで、弾性率を比較的低くしたものであり、高弾性率のもの（所謂高モジュラスベルト）と比較して急激な張力低下が抑制される。
【００３９】
また、図３の太線矢印ＶはＶリブドベルト４の走行方向を示し、この走行方向にＶリブドベルト４が走行するときの第３プーリ３の回転方向を回転方向Ａ、この回転方向Ａと反対の方向を逆回転方向Ｂと、定義する。
【００４０】
（ベルト取付治具９の構成）
次に、図１及び図２を参照しつつ、本実施形態に係るベルト取付治具９の構成を説明する。
【００４１】
図１及び図２に示されるように、ベルト取付治具９は、第３プーリ３の外周部３ｊに沿って取り付けられる取付部１１と、第３プーリ３の一方の側面３ｇのプーリフランジ３ｅ部分に接触させる設置部１２及び第３プーリ３のクラッチハブ３ｂを覆う保護部１３を有する側面部１０と、設置部１２の外周沿いに設けられた第１ベルト保持部１４と、保護部１３上に設けられた第２ベルト保持部１５とを主たる構成として備える。
【００４２】
取付部１１は、第３プーリ３のコンプレッサープーリ３ａの外周部３ｊに沿うように円弧形状（湾曲形状）をしている。また、取付部１１の内周面側には、第３プーリ３のコンプレッサープーリ３ａの外周部３ｊに設けられたプーリ溝３ｄに嵌合するリブ１１ａが設けられている。
【００４３】
リブ１１ａは、取付部１１の内周面の長手方向に沿った１つの凸状のリブにより構成されている。ベルト取付治具９が第３プーリ３に取り付けられた時に、リブ１１ａがコンプレッサープーリ３ａのプーリ溝３ｄに嵌合することにより、ベルト取付治具９を、コンプレッサープーリ３ａの外周部３ｊに正確に固定することができる。なお、本実施形態では、リブ１１ａを一つだけ設けた構成にしているが、リブ１１ａを設ける場合には少なくとも１つの凸状のリブがあればよいので、リブ１１ａを複数設けた構成にしてもよい。
【００４４】
側面部１０を構成する設置部１２は、取付部１１の一端から第３プーリ３のボス部５に向かって延在している。設置部１２は、ベルト取付治具９が第３プーリ３に取り付けられたときに、第３プーリ３のコンプレッサープーリ３ａに設けられたプーリフランジ３ｅに対して当接ないし密着し、ベルト取付治具９を第３プーリ３に対して安定させる役割を果たす。
【００４５】
保護部１３は、図２に示すように、円形状から一部切欠部１３ｂが設けられ、設置部１２に対して段差１３ａが設けられた形状をしている。即ち、本実施形態では、設置部１２と保護部１３とは、段差１３ａを介して段差状に連結されている。保護部１３の段差１３ａは、図７に示すように、ベルト取付治具９を第３プーリ３に取り付けたときに、保護部１３と第３プーリ３のクラッチハブ３ｂとの間に間隙１３ｃを形成し、保護部１３がクラッチハブ３ｂに接触するのを避ける役割を果たす。このように、保護部１３は、クラッチハブ３ｂに接触するのを避けつつ、クラッチハブ３ｂを覆う役割を果たす。なお、本実施形態では、設置部１２と保護部１３との間に段差１３ａを設けているが、段差１３ａを設けずに、設置部１２及び保護部１３が一体形成されて連続的に湾曲する形状にしてもよい。
【００４６】
ここで、保護部１３は、第３プーリ３の一方の側面３ｇ（保護部１３が被覆する側の側面）における設置部１２が接触する部位より内側の領域において、第３プーリ３の一方の側面３ｇにおける設置部１２が接触する部位３ｋ（図７参照）によって定義される平面からの垂直方向の距離が最も大きい部位（クラッチハブ３ｂ）の少なくとも一部を覆うように設けられる。すなわち、本態様では、保護部１３は、プーリフランジ３ｅより内側の領域において、軸方向に最も外側に突起した突起部であるクラッチハブ３ｂの少なくとも一部を覆うように設けられる。なお、保護部１３は、第３プーリ３の側面３ｇの略中央を少なくとも被覆することが好ましい。すなわち、本態様では、ボス部５を被覆することが好ましい。被覆率としては、例えば、側面部１０は、第３プーリ３の側面３ｇ（保護部１３が被覆する側の側面）の半分以上を被覆することが好ましい。すなわち、側面部１０は、第３プーリ３の側面３ｇの５０〜１００％を被覆することが好ましい。被覆率が５０％より小さくなると、Ｖリブドベルト４をベルト取付治具９に巻き掛けた時にＶリブドベルト４と第３プーリ３が強干渉し、破損するおそれがある。
【００４７】
また、間隙１３ｃの大きさは、適用するプーリ等の特性（ミスアライメント限度等）に応じて適宜設定されるため特に限定されないが、例えば０超３．５ｍｍ以下程度であることが好ましい。
【００４８】
また、取付部１１、設置部１２、及び、保護部１３において、Ｖリブドベルト４と接触する部分は面取りがなされて曲面形状になっている。これは、ベルト取付治具９を使用して、第３プーリ３にＶリブドベルト４を巻き掛ける際にＶリブドベルト４を損傷させないために設けている。
【００４９】
第１ベルト保持部１４は、図２に示すように、設置部１２の外周沿いに、設置部１２及び保護部１３を跨いで突設されている。なお、第１ベルト保持部１４は、ベルト取付治具９を第３プーリ３に取り付けたときに、コンプレッサープーリ３ａの外周部３ｊ側に位置するように、側面部１０上に配置されていればよい。このベルト保持部１４は、Ｖリブドベルト４を第３プーリ３に巻掛ける際に、Ｖリブドベルト４を一旦保持する役割を果たす。
【００５０】
また、第１ベルト保持部１４と第２ベルト保持部１５とは、直線上に配置されており、Ｖリブドベルト４が保持される保持面１４ａ（図２参照）は、ベルト取付治具９を上面から見た形状が略インボリュート曲線形状をしている。なお、第１ベルト保持部１４の保持面１４ａは、略インボリュート曲線形状に限らず、略円弧形状であってもよいし、台形形状、多角形形状をしていてもよい。また、第１ベルト保持部１４自体の形状が、略円柱形状のものを採用してもよい。
【００５１】
第１ベルト保持部１４は、Ｖリブドベルト４を第３プーリ３に巻掛ける時に、Ｖリブドベルト４を屈曲させてコンプレッサープーリ３ａの外周部３ｊに沿わせる役割を果たす。
【００５２】
第２ベルト保持部１５は、略円柱形状をしており、図２に示すように、保護部１３上に突設されている。詳細な位置としては、図５Ａに示すように、ベルト取付治具９を第３プーリ３に設置した状態で、Ｖリブドベルト４が、第１プーリ１、第２プーリ２、第１ベルト保持部１４、及び、第２ベルト保持部１５に巻き掛けられた際に、第２ベルト保持部１５は、第２プーリ２の外周から第１ベルト保持部１４に巻き掛けられるＶリブドベルト４を延長させた第１延長線Ｌ１と、第１プーリ１の外周から第２ベルト保持部１５に巻き掛けられるＶリブドベルト４を延長させた第２延長線Ｌ２との交点Ｆ（ベルト張力の合力頂点位置）が、第１プーリ１の中心１Ｓと第３プーリ３の中心３Ｓとを結んだ中心線Ｌ３よりも、第３プーリ３の回転方向Ａの前方側に位置するように（第１配置条件）側面部１０上に設けられている（図５Ｂの第１配置条件を満たす領域（斜線）参照）。
【００５３】
なお、本発明において「Ｖリブドベルト４が、第１プーリ１、第２プーリ２、第１ベルト保持部１４、及び第２ベルト保持部１５に巻き掛けられた際」とは、Ｖリブドベルト４をその走行方向に沿って第１プーリ１、第２プーリ２、第１ベルト保持部１４、及び第２ベルト保持部１５に巻き掛け、ベルトの伸びが最小になった状態を意味する。
【００５４】
更に、本実施形態では、第２ベルト保持部１５は、図５Ａに示すように、ベルト取付治具９を第３プーリ３に設置した状態で、Ｖリブドベルト４が、第１プーリ１、第２プーリ２、第１ベルト保持部１４、及び、第２ベルト保持部１５に巻き掛けられた際に、第２プーリ２の中心２Ｓと第３プーリ３の中心３Ｓとを結んだ中心線Ｌ４よりも、第３プーリ３の回転方向Ａの前方側に位置するように（第２配置条件）側面部１０上に設けられている（図５Ｂの第１配置条件、及び、第２配置条件を満たす領域（斜線）参照）。
【００５５】
なお、本実施形態では、第２ベルト保持部１５の形状を、略円柱形状にしているが、これは、第２ベルト保持部１５にＶリブドベルト４を巻き掛けた際にＶリブドベルト４を損傷させないためである。また、第２ベルト保持部１５の形状は、略半円形状、略三日月形状、又は略多角形形状をしていてもよい。
【００５６】
（第１ベルト保持部１４及び第２ベルト保持部１５を設ける意義）
図６（Ａ）に示すように、第２ベルト保持部１５を設けずに、第１ベルト保持部１４のみを設けた、従来のベルト取付治具を、第３プーリ３に取付けた場合、第２プーリ２の外周から第１ベルト保持部１４に巻き掛けられるＶリブドベルト４を延長させた第１延長線Ｌ１と、第１プーリ１の外周から第１ベルト保持部１４に巻き掛けられるＶリブドベルト４を延長させた第３延長線Ｌ５との交点Ｆ２（ベルト張力の合力頂点位置）が、第１プーリ１の中心１Ｓと第３プーリ３の中心３Ｓとを結んだ中心線Ｌ３よりも、第３プーリ３の回転方向Ａの後方側に位置することになる。この場合、図６（Ａ）に示すように、ベルト張力の合力とつりあう力（ベルトを伸張させる力）が、第２プーリ２方向への張力に勝てず、第１プーリ１の回転力がＶリブドベルト４を介してベルト取付治具及び第３プーリ３に伝達されないため、ベルト取付治具及び第３プーリ３を回転させることができない場合がある（空転、または逆回転方向Ｂに回転）。
【００５７】
上記問題を解決するためには、すなわちベルトを伸張させる力が第２プーリ２方向への張力に勝つには、交点Ｆ２（ベルト張力の合力頂点位置）を、第１プーリ１の中心１Ｓと第３プーリ３の中心３Ｓとを結んだ中心線Ｌ３よりも、第３プーリ３の回転方向Ａの前方側に位置させる必要がある。
【００５８】
そこで、本実施形態のベルト取付治具９のように、第１ベルト保持部１４に加えて、更に、第２ベルト保持部１５を設け、第２ベルト保持部１５を、上述した第１配置条件を満たす位置に配置することにより、図６（Ｂ）に示すように、交点Ｆ（ベルト張力の合力頂点位置）が、第１プーリ１の中心１Ｓと第３プーリ３の中心３Ｓとを結んだ中心線Ｌ３よりも、第３プーリ３の回転方向Ａの前方側に位置するようにして、ベルトを伸張させる力が第２プーリ２方向への張力を上回らせることができる。これにより、第１プーリ１方向への張力が掛かり、ベルト取付治具９及び第３プーリ３が逆回転方向Ｂに回転するのを防止することができる。
【００５９】
（ベルト取付治具９の使用方法）
次に、図７〜図９を参照しつつ、上記のベルト取付治具９の使用方法を説明する。なお、第１プーリ１のボス部１ｃにレンチを連結し、第１プーリ１を手動で自由に回転できるようにしている。
【００６０】
＜手順（ａ）＞
まず、図７に示すように、取付部１１が第３プーリ３のコンプレッサープーリ３ａの外周部３ｊに沿うようにベルト取付治具９を第３プーリ３に取り付ける。この際、取付部１１に設けられたリブ１１ａをコンプレッサープーリ３ａのプーリ溝３ｄに嵌合させ、且つ、設置部１２を第３プーリ３のコンプレッサープーリ３ａに設けられたプーリフランジ３ｅに対して当接させる。これにより、保護部１３が、クラッチハブ３ｂとの間に間隙１３ｃを形成しつつ、クラッチハブ３ｂを覆った状態になる（図７参照）。
【００６１】
＜手順（ｂ）＞
この状態で、まず、Ｖリブドベルト４を第１プーリ１及び第２プーリ２に巻掛けする。そして、図８（Ａ）に示すように、Ｖリブドベルト４を、第３プーリ３のコンプレッサープーリ３ａの外周部３ｊに沿わせた後、取付部１１を跨いで、第１ベルト保持部１４の保持面１４ａに沿わせてインボリュート曲線状に屈曲させて、Ｖリブドベルト４の内周面が第１ベルト保持部１４の保持面１４ａに当接するように巻掛け、更に、第２ベルト保持部１５にも巻き掛ける。この際、図８（Ａ）に示すように、第１ベルト保持部１４により屈曲されたＶリブドベルト４は、保護部１３上を通って、直線状に第２ベルト保持部１５に巻き掛けられ、この第２ベルト保持部１５から第１プーリ１の外周部に巻掛けられた状態になる。このとき、ベルト取付治具９の第２ベルト保持部１５は、上述した第１配置条件を満たしているため、Ｖリブドベルト４がベルト取付治具９に巻き掛けられたとしても、ベルト取付治具９及び第３プーリ３は、逆回転方向Ｂに回転しない。
【００６２】
＜手順（ｃ）＞
次に、図８（Ｂ）に示すように、レンチを用いて第１プーリ１を回転方向Ａに回転させる。このとき、ベルト取付治具９の第２ベルト保持部１５は、上述した第２配置条件を満たしているため、第２ベルト保持部１５が、中心線Ｌ４よりも、回転方向Ａの後方側にある場合に比べて、Ｖリブドベルト４に掛かる張力を小さくすることができる。これにより、第３プーリ３の回転方向Ａへの回転をし易くしている。
【００６３】
詳しくは、先ず、図８（Ａ）の状態から図８（Ｂ）の状態となるように第１プーリ１、第２プーリ２、及び、第３プーリ３を、回転方向Ａに回転させる。すると、Ｖリブドベルト４が巻き掛けられた第１ベルト保持部１４が、中心線Ｌ３の位置まで移動する。そして、第１ベルト保持部１４が、中心線Ｌ３の位置まで移動すると、Ｖリブドベルト４の第２ベルト保持部１５に対する巻き掛かりが解かれることになる。換言すれば、Ｖリブドベルト４を第２ベルト保持部１５に保持した状態（巻き掛かった状態）は、第１ベルト保持部１４が、回転方向Ａの前方側に中心線Ｌ３を越えるまでは維持されることになる。
【００６４】
なお、Ｖリブドベルト４には、伸張されることにより高い張力が発生する。この張力は、Ｖリブドベルト４が取付部１１上を交差しているので取付部１１を第３プーリ３の外周部３ｊに対して押圧する押圧作用として働き、ベルト取付治具９と第３プーリ３とをより強固に固定する。
【００６５】
次に、図８（Ｂ）の状態から図８（Ｃ）の状態となるように第１プーリ１、第２プーリ２、及び、第３プーリ３を、回転方向Ａに回転させると、回転に合わせて、側面部１０上のＶリブドベルト４が、ベルト取付治具９の外周側にスライドしていく。一方、第１ベルト保持部１４に巻掛けられていたＶリブドベルト４は、コンプレッサープーリ３ａの外周部３ｊ上に移動する。詳しくは、第３プーリ３を、回転方向Ａに回転させると、第３プーリ３のコンプレッサープーリ３ａのプーリ溝３ｄに対するＶリブドベルト４のリブ４ａの嵌合の領域が徐々に広範になっていく。
【００６６】
更に、図８（Ｃ）の状態から、図９（Ｄ）の状態を経て、図９（Ｅ）の状態となるように、第１プーリ１、第２プーリ２、及び、第３プーリ３を、回転方向Ａに回転させる。すると、側面部１０上に残っていたＶリブドベルト４が、側面部１０を離れて第３プーリ３のコンプレッサープーリ３ａの外周部３ｊへと完全に移動する。この移動後、ベルト取付治具９を第３プーリ３から回収する。
【００６７】
以上の手順を経ることにより、図３に示すように、第１プーリ１と第２プーリ２と第３プーリ３との間にＶリブドベルト４を巻き掛けることができる。
【００６８】
上記構成によれば、ベルト取付治具９の側面部１０を第３プーリ３の一方の側面３ｇに設置し、取付部１１を第３プーリ３の外周部３ｊに沿って配置することにより、ベルト取付治具９を第３プーリ３に安定して設置することができる。
また、側面部１０上に、第１ベルト保持部１４、及び、第２ベルト保持部１５を設け、第１ベルト保持部１４を側面部１０の外周沿いに配置し、第２ベルト保持部１５を、Ｖリブドベルト４が、第１プーリ１、第２プーリ２、第１ベルト保持部１４、及び、第２ベルト保持部１５に巻き掛けられた状態のときに、第２プーリ２の外周から第１ベルト保持部１４に巻き掛けられるＶリブドベルト４を延長させた第１延長線Ｌ１と、第１プーリ１の外周から第２ベルト保持部１５に巻き掛けられるＶリブドベルト４を延長させた第２延長線Ｌ２との交点Ｆが、第１プーリ１の中心１Ｓと第３プーリ３の中心３Ｓとを結んだ中心線Ｌ３よりも、第３プーリ３の回転方向Ａの前方側に位置するように配置している（第１配置条件）。
仮に、第２ベルト保持部１５を、第１延長線Ｌ１と第２延長線Ｌ２との交点Ｆが、第１プーリ１の中心１Ｓと第３プーリ３の中心３Ｓとを結んだ中心線Ｌ３よりも、第３プーリ３の回転方向Ａの後方側に位置するように配置した場合には、第３プーリ３が逆回転したり（Ｖリブドベルト４に第２プーリ２方向への張力が掛かる）、ベルト取付治具９自体が第３プーリ３上を滑って空転してしまい、Ｖリブドベルト４を第３プーリ３の外周に巻き掛けることができない場合がある。しかし、第２ベルト保持部を、上記第１配置条件を満たすように配置することにより、Ｖリブドベルト４に回転方向Ａに張力が掛かり（Ｖリブドベルト４に第１プーリ１方向への張力が掛かる）、第３プーリ３が逆回転（逆回転方向Ｂに回転）するのを防止することができる。
【００６９】
また、第２ベルト保持部１５を、第２プーリ２の中心２Ｓと第３プーリ３の中心３Ｓとを結んだ中心線Ｌ４よりも、第３プーリ３の回転方向Ａの前方側に配置することにより（第２配置条件）、第２ベルト保持部１５が、中心線Ｌ４よりも、第３プーリ３の回転方向Ａの後方側にある場合に比べて、Ｖリブドベルト４を、第１プーリ１、第２プーリ２、第１ベルト保持部１４、及び、第２ベルト保持部１５に巻き掛けた際のＶリブドベルト４全体に掛かる張力を小さくすることができる。これにより、Ｖリブドベルト４を第３プーリ３の外周部３ｊへ巻き掛ける際の第３プーリ３の回転方向Ａ（第１プーリ１方向）への回転をし易くすることができる。
【００７０】
また、保護部１３が、第３プーリ３の一方の側面３ｇにおける設置部１２が接触する部位より内側の領域において、第３プーリ３の一方の側面３ｇにおける設置部１２が接触する部位によって定義される平面からの垂直方向の距離が最も大きい部位（第３プーリ３の一方の側面３ｇにおける設置部１２が接触する部位によって定義される平面からの距離が０の場合を含む）の少なくとも一部（クラッチハブ３ｂの少なくとも一部）を覆うことにより、第３プーリ３へのＶリブドベルト４の巻き掛け時に、第３プーリ３のクラッチハブ３ｂとＶリブドベルト４が干渉することを防止し、クラッチハブ３ｂ及びＶリブドベルト４を保護することができる。
【００７１】
また、保護部１３と設置部１２との間を段差状に連結して、クラッチハブ３ｂと保護部１３との間に段差１３ａによる間隙１３ｃができるようにしたため、保護部１３が、クラッチハブ３ｂに接触せずに確実に覆うことができる。
【００７２】
また、第１ベルト保持部１４のＶリブドベルト４が巻き掛かる部分（保持面１４ａ）を略円弧形状にしているため、Ｖリブドベルト４を第１ベルト保持部１４に巻き掛けた際のＶリブドベルト４への負担を軽減することができる。
【００７３】
また、第１ベルト保持部１４のＶリブドベルト４が巻き掛かる部分（保持面１４ａ）を略インボリュート曲線形状にすることにより、第１ベルト保持部１４にＶリブドベルト４を巻き掛ける際に、Ｖリブドベルト４に過度な張力をかけずに効率良く巻き掛けることができる。また、第１ベルト保持部１４と第２ベルト保持部１５とを直線上に配置しているため、Ｖリブドベルト４を第１ベルト保持部１４と第２ベルト保持部１５とに巻き掛けた際のＶリブドベルト４の長さを最短にすることができ、Ｖリブドベルト４を伸張させる力を最小にすることができる。そのため、ベルト取付治具９を使用して、Ｖリブドベルト４を第３プーリ３に巻き掛ける作業負荷を低減させることができる。
【００７４】
（その他の実施形態）
上記実施形態におけるベルト取付治具９では、取付部１１の内周面側に、リブ１１ａが設けられた構成としているが、図１０に示すように、取付部１１１の内周面側に、リブ１１ａを設けない構成としてもよい。この場合、リブ１１ａを設けない構成としているため、製造コストを削減することができる。なお、ベルト取付治具９を第３プーリ３に取り付けた際の安定性は、リブを有しない取付部１１１を第３プーリ３の外周部３ｊに当接させることと、設置部１２をプーリフランジ３ｅに当接させることにより担保することができる。
【００７５】
また、図１１に示すように、ベルト取付治具９の取付部２１１は、コンプレッサープーリ３ａの外周部３ｊを幅方向（第３プーリ３の軸方向の幅）に覆う程度の幅を有するように構成してもよい。この場合、取付部２１１に、コンプレッサープーリ３ａのプーリフランジ３ｆに当接する当接部２１１ｄを設けても良い。この当接部２１１ｄを設けることにより、ベルト取付治具９の第３プーリ３への設置をより安定化させることができる。また、図１１に示す取付部２１１の内周面側に、１つ又は複数のリブを設けた構成としてもよい。
【００７６】
また、上記実施形態におけるベルト取付治具９では、第１ベルト保持部１４を、設置部１２の外周に沿うように配置しているが、これに限らず、第１ベルト保持部１１４は、図１２に示すように、第１ベルト保持部１１４の一部が、設置部１２の外周よりも外側に突出した形状をしていてもよい。
【００７７】
この場合、第１ベルト保持部１１４の一部が、設置部１２の外周よりも外側に突出しているため、Ｖリブドベルト４を第１ベルト保持部１１４に巻き掛けた際に、設置部１２の外周や第３プーリ３のプーリフランジ３ｅよりも浮かせることができる。このため、Ｖリブドベルト４を第１ベルト保持部１１４から第３プーリ３の外周部３ｊに巻き掛け易くなり、Ｖリブドベルト４を第３プーリ３の外周部３ｊにスムーズに移行することができる（図１３参照）。
【００７８】
更に、図１４に示すベルト取付治具９のように、第１ベルト保持部３１４は、設置部１２の外周よりも外側に突出した突出部３１４ｂを有し、この突出部３１４ｂは、図１２に示す第１ベルト保持部１１４における、設置部１２の外周よりも外側に突出した部分よりも更に外側に突出した形状をしたものが好ましい。このように、第１ベルト保持部３１４の突出部３１４ｂを、設置部１２の外周よりも外側に大きく突出した形状にすることにより、第１ベルト保持部３１４の突出部３１４ｂが、設置部１２の外周よりも外側に大きく突出しているため、Ｖリブドベルト４を第１ベルト保持部３１４に巻き掛けた際に、設置部１２の外周や第３プーリ３のプーリフランジ３ｅよりも大きく浮かせることができる。このため、Ｖリブドベルト４を第１ベルト保持部３１４から第３プーリ３の外周部３ｊにより巻き掛け易くなり、Ｖリブドベルト４を第３プーリ３の外周部３ｊによりスムーズに移行することができる。
【００７９】
また、図１４に示すベルト取付治具９のように、第１ベルト保持部３１４の突出部３１４ｂの下部は、第１ベルト保持部３１４の側面３１４ｄから下側にかけて傾斜した傾斜面３１４ｃを有していてもよい。この傾斜面３１４ｃは、第１ベルト保持部３１４の保持面３１４ａに巻き掛けられたＶリブドベルト４が、第３プーリ３の回転に伴い、傾斜面３１４ｃにも巻き掛かった際に、傾斜面３１４ｃに巻き掛かったＶリブドベルト４を、傾斜面３１４ｃから第３プーリ３の外周部３ｊにスムーズにスライドさせる役割を果たす。即ち、第１ベルト保持部３１４の下方に傾斜面３１４ｃを設けることにより、第１ベルト保持部３１４に巻き掛けられたＶリブドベルト４を第３プーリ３側に回り込み易くして、Ｖリブドベルト４を第１ベルト保持部３１４から３プーリ３の外周部３ｊにスムーズに移行させることができる。
【００８０】
なお、図１４に示すベルト取付治具９の第１ベルト保持部３１４の保持面３１４ａは、面形状（上面視で直線形状）をしているが、これに限らず、曲面形状（上面視で曲線形状）にしてもよい。
【００８１】
また、図１４に示すベルト取付治具９のように、第２ベルト保持部３１５は、Ｖリブドベルト４が巻き掛かる位置が、中心３Ｓ（第３プーリ３の中心３Ｓに対応する位置）から径外方向に遠ざかる位置になるように設けた方が好ましい。これは、Ｖリブドベルト４が第２ベルト保持部３１５に巻き掛かる位置が、第３プーリ３の中心３Ｓに近い位置になるほど、第３プーリ３を回転させるために大きな力が必要になり、Ｖリブドベルト４の巻き掛けがスムーズに行えないからである。反対に、Ｖリブドベルト４が第２ベルト保持部３１５に巻き掛かる位置が、第３プーリ３の中心３Ｓから径外方向に遠ざかる位置になる方が、比較的小さな力で第３プーリ３を回転させることができるので、Ｖリブドベルト４の巻き掛け（スムーズな移行）には好ましい。図１４に示すベルト取付治具９の第２ベルト保持部３１５は、図２に示すベルト取付治具９の円柱状の第２ベルト保持部１５の径を大きくすることにより、Ｖリブドベルト４が巻き掛かる位置が、中心３Ｓから径外方向により遠ざかる位置になるようにしている。なお、第２ベルト保持部３１５は、図２に示すベルト取付治具９の第２ベルト保持部１５を、中心３Ｓから径外方向により遠ざかる位置に配置することにより形成してもよい。
【００８２】
また、上記実施形態におけるベルト取付治具９では、第１ベルト保持部１４（１１４、３１４）及び第２ベルト保持部１５（３１５）を別個に設けているが、第１ベルト保持部１４（１１４、３１４）と第２ベルト保持部１５（３１５）とは一体形成されていてもよい。この場合、第１ベルト保持部１４（１１４、３１４）と第２ベルト保持部１５（３１５）とが別個に形成されている場合に比べて、強度を高めることができる。
【００８３】
更に、第１ベルト保持部１４（１１４、３１４）と第２ベルト保持部１５（３１５）とを一体形成した場合、一体形成された第１ベルト保持部１４（１１４、３１４）及び第２ベルト保持部１５（３１５）において、Ｖリブドベルト４が巻き掛かる部分を円弧形状にしてもよい。この場合、Ｖリブドベルト４を巻き掛けた際のＶリブドベルト４への負担を軽減することができる。
【００８４】
また、上記実施形態では、ベルト取付治具９を、クラッチハブ３ｂを有する第３プーリ３に取り付けて使用する場合について説明したが、ベルト取付治具９は、第３プーリ３の側面３ｇにおける設置部１２が接触する部位によって定義される平面からの距離が「０」であるプーリ、即ち、プーリの側面に突出した部分を有しない第１プーリ１や第２プーリ２に対して設置して使用することも可能である。
【００８５】
なお、上記実施形態ではプーリが３つの場合について説明したが、プーリが４つ以上の場合でも適用可能である。その場合、第１プーリ、第２プーリ及び第３プーリは任意の連続するプーリであり、第３プーリは第１プーリ及び第２プーリに挟まれたプーリである。
【００８６】
以上、本発明の実施形態について説明したが、本発明は上述の実施の形態に限られるものではなく、特許請求の範囲に記載した限りにおいて様々に変更して実施することができるものである。
【符号の説明】
【００８７】
１  第１プーリ
２  第２プーリ
３  第３プーリ
３ａ  コンプレッサープーリ
３ｂ  クラッチハブ
３ｃ  ステーター
４  Ｖリブドベルト
９  ベルト取付治具
１０  側面部
１１  取付部
１２  設置部
１３  保護部
１４  第１ベルト保持部
１５  第２ベルト保持部
Ａ  回転方向
【図１】
2016070492.tif 000003
【図２】
2016070492.tif 000004
【図３】
2016070492.tif 000005
【図４】
2016070492.tif 000006
【図５Ａ】
2016070492.tif 000007
【図５Ｂ】
2016070492.tif 000008
【図６】
2016070492.tif 000009
【図７】
2016070492.tif 000010
【図８】
2016070492.tif 000011
【図９】
2016070492.tif 000012
【図１０】
2016070492.tif 000013
【図１１】
2016070492.tif 000014
【図１２】
2016070492.tif 000015
【図１３】
2016070492.tif 000016
【図１４】
2016070492.tif 000017